(57)【要約】【課題】軸筒の後方部に設けた金属からなる円環部材より突出させた金属からなるノック体をノック操作した時における、金属同士の接触による不快な接触音を防止することができる構造のノック式筆記具とする。【解決手段】軸筒２の後方部に設けた金属からなる円環部材５より突出させた金属からなる円柱形状のノック体６をノック操作することにより、軸筒２の先端から筆記体４または筆記芯を繰り出す構造のノック式筆記具１であって、円環部材５の内方に潤滑塗膜８ａを内面に有する内筒８を固設し、内筒８の内方にノック体６を摺動可能に配設させる。【選択図】図２
2013107223.tif 000002
【特許請求の範囲】
【請求項１】
軸筒の後方部に設けた金属からなる円環部材より突出させた金属からなる円柱形状のノック体をノック操作することにより、前記軸筒の先端から筆記体または筆記芯を繰り出す構造のノック式筆記具であって、前記円環部材の内方に潤滑塗膜を内面に有する内筒を固設し、当該内筒の内方に前記ノック体を摺動可能に配設させたノック式筆記具。
【発明の詳細な説明】
【技術分野】
【０００１】
本発明は、軸筒の後方部に設けた金属からなる円環部材より突出させた金属からなる円柱形状のノック体をノック操作することにより、軸筒の先端から筆記体または筆記芯を繰り出す構造のノック式筆記具に関する。
【背景技術】
【０００２】
従来、ノック式ボールペンやノック式シャープペンシルなど、ノック体をノック操作して使用状態とする筆記具は一般的であるが、ノック式筆記具の中でも、特開２００３−６３１９２号公報に記載されているように、ノック体の形状が全長に渡り略同径の円柱形状であり軸筒の内面との隙間が小さいものでは、ノック体をノック操作した際に、ノック体が軸筒の内部で振れることによって、軸筒の内面にノック体が接して音がする問題が生じやすい。また、高価格のノック式筆記具では金属で成形した部材を使用することが多く、ノック操作した時における金属同士の接触による不快な接触音が問題視されていた。
【０００３】
このようなことから、金属部材を使用した場合の摺接音に対する対策法が考えられており、特開２０１１−１１０７０１号公報では、ノック体の外面に滑り性の良い潤滑皮膜を設けており、軸筒に対するノック体の摺動性を向上させたノック式筆記具が記載されているが、デザイン的にノック体の表面をメッキ処理したい場合には、ノック体に潤滑皮膜を設けることができなかった。また、ノック体の外側面に形成した溝部にＯリングを装着して、軸筒とノック体との摺接音を防止する構造も考えられており、実際に市場にも存在しているが、ノック体の内部に消しゴムを収容させる構造のシャープペンシルにおいては、ノック体の内部に消しゴムを収容させるスペースを形成する必要があるため、細身の軸筒にする場合には、ノック体の外側面にＯリングを装着させるための溝部を形成することができず、Ｏリングで対応することができなかった。
【先行技術文献】
【特許文献】
【０００４】
【特許文献１】特開２００３−６３１９２号公報
【特許文献２】特開２０１１−１１０７０１号公報
【発明の概要】
【発明が解決しようとする課題】
【０００５】
本発明では、軸筒の後方部に設けた金属からなる円環部材より突出させた金属からなるノック体をノック操作した時における金属同士の接触による不快な接触音を防止することができる構造のノック式筆記具とする。
【課題を解決するための手段】
【０００６】
本発明は、
「軸筒の後方部に設けた金属からなる円環部材より突出させた金属からなる円柱形状のノック体をノック操作することにより、前記軸筒の先端から筆記体または筆記芯を繰り出す構造のノック式筆記具であって、前記円環部材の内方に潤滑塗膜を内面に有する内筒を装着し、当該内筒の内方に前記ノック体を摺動可能に配設させたノック式筆記具。」である。
【０００７】
本発明では、内筒を、円環部材から露出しない状態で装着させることで、内筒の全面に潤滑塗膜を設けることができ、例えば外部に露出するノック体と円環部材とをメッキ処理した場合においても、それと異なる表面（潤滑塗膜）を有する内筒がデザインの妨げにならない構造となる。潤滑塗膜は、フッ素やシリコンを含有した塗料を塗布することで設けることが可能である。
【発明の効果】
【０００８】
本発明のノック式筆記具は前述したような構造なので、ノック操作時にノック体が振れた場合においても、ノック体が、潤滑塗膜を設けた内筒に滑らかに摺接するので、金属同士の接触による不快な接触音を防止することができる。
【図面の簡単な説明】
【０００９】
【図１】図１は、ノック操作を行っていない状態における要部断面図である。
【図２】図２は、ノック操作を行っている状態における要部断面図である。
【発明を実施するための形態】
【００１０】
軸筒の後方部に設けた金属からなる円環部材より突出させた金属からなる円柱形状のノック体をノック操作した際に、接触音の発生を防止することができるノック式筆記具を実現した。
【実施例】
【００１１】
次に図面を参照しながら本実施例の説明を行う。図中の同じ部材、同じ部品については、同じ符号としてある。本実施例ではノック式ボールペンを例にあげて述べるが、本発明は以下の実施例に限定されるものではない。
【００１２】
図１に示すようにノック式ボールペン１は、軸筒２の内部にコイルスプリング３で後方へ弾発したボールペンレフィル４を配し、軸筒２の後方に配設した金属からなる円環部材５の開口部５ａから突出させた円柱形状の金属からなるノック体６をノック操作することによって、軸筒２の内部に配設した前記ボールペンレフィル４の筆記先端部４ａを、軸筒２の前方に螺合した口金７の開口部７ａから突出した状態と没入した状態とで維持できるノック式ボールペン構造である。
【００１３】
円環部材５の内方には、サンエス潤滑株式会社製の潤滑塗料（ＦＲ＃３Ｂ０）を塗装して内面に潤滑塗膜８ａを設けた内筒８を螺合してある。内筒８は前方に前方雄螺子部８ｂを形成し、後方に後方雄螺子部８ｃを形成してあり、前方雄螺子部８ｂを軸筒２の後方に形成した雌螺子部２ａに螺合させ、後方雄螺子部８ｃを円環部材５の内面に形成した雌螺子部５ｂに螺合させてある。したがって本実施例の内筒８は、軸筒２と円環部材５とを連接させることから、強度および薄さが必要であり金属で形成してある。
【００１４】
次にノック式ボールペン１のノック操作について説明を行う。図２に示すようにノック体６を押圧することで、ボールペンレフィル４の筆記先端部４ａを口金７の開口部７ａから突出させることができ、ノック操作の際に、ノック体６が軸筒２の内部で振れても、ノック体６が内筒８に設けた潤滑塗膜８ａに摺接することで、金属同士の接触による不快な接触音を防止することができた。
【産業上の利用可能性】
【００１５】
本発明のノック式筆記具は、インキやペン先の種類、出没機構に限定されるものではないので、ノック式シャープペンシルやノック式マーカーペンあるいはノック式万年筆などノック式筆記具として広く利用可能である。
【符号の説明】
【００１６】
１…ノック式ボールペン、２…軸筒、３…コイルスプリング、
４…ボールペンレフィル、４ａ…筆記先端部、
５…円環部材、５ａ…開口部、５ｂ…雌螺子部、
６…ノック体、
７…口金、７ａ…開口部、
８…円環部材、８ａ…潤滑塗膜、８ｂ…前方雌螺子部、８ｃ…後方雌螺子部。
【図１】
2013107223.tif 000003
【図２】
2013107223.tif 000004